(57)【要約】  シート状部材上で線状伝送部材の経路が乱れたり、シート状部材から線状伝送部材が分離したりすることを抑制することを目的とする。配線部材は、シート状部材と、前記シート状部材上に固定された複数の線状伝送部材と、を備える。前記複数の線状伝送部材のうちの一部が他の前記線状伝送部材に対して交差するように前記シート状部材上に固定されている。前記複数の線状伝送部材の交差箇所が、折曲げ跡を避けて位置している。
2020121434.tif 000002
【特許請求の範囲】
【請求項１】
シート状部材と、
前記シート状部材上に固定された複数の線状伝送部材と、
を備え、
前記複数の線状伝送部材のうちの一部が他の前記線状伝送部材に対して交差するように、前記複数の線状伝送部材が前記シート状部材上に固定され、
前記複数の線状伝送部材の交差箇所が、折曲げ跡を避けて位置している、配線部材。
【請求項２】
請求項１に記載の配線部材であって、
前記シート状部材に取付けられた車両固定部をさらに備え、
前記複数の線状伝送部材の交差箇所が、前記シート状部材のうち前記車両固定部に対応する領域に位置するものを含む、配線部材。
【請求項３】
請求項１又は請求項２に記載の配線部材であって、
前記複数の線状伝送部材の交差箇所が、前記シート状部材の延在方向中央部と端部との間で端部寄りに位置するものを含む、配線部材。
【請求項４】
請求項１から請求項３のいずれか１項に記載の配線部材であって、
前記交差箇所に剛性を付与する剛性付与部材が設けられている、配線部材。
【請求項５】
シート状部材と、
前記シート状部材上に固定された複数の線状伝送部材と、
を備え、
前記複数の線状伝送部材のうちの一部が他の前記線状伝送部材に対して交差するように、前記複数の線状伝送部材が前記シート状部材上に固定され、
前記シート状部材及び前記複数の線状伝送部材が折曲げられて荷姿形態とされ、
前記複数の線状伝送部材の交差箇所が、折曲げ箇所を避けて位置している、荷姿形態の配線部材。
【発明の詳細な説明】
【技術分野】
【０００１】
この発明は、配線部材に関する。
【背景技術】
【０００２】
特許文献１は、シート状に形成された機能性外装部材と、長手方向に沿った少なくとも一部の領域で前記機能性外装部材に重なるように配設された電線と、を備え、前記電線の絶縁被覆と前記機能性外装部材とが重なる部分の少なくとも一部が溶着されている、ワイヤーハーネスを開示している。
【先行技術文献】
【特許文献】
【０００３】
【特許文献１】特開２０１８−１３７２０８号公報
【発明の概要】
【発明が解決しようとする課題】
【０００４】
特許文献１に開示されたワイヤーハーネスは、梱包、搬送時等において、シート状に形成された機能性外装部材を折曲げることで、コンパクトな形態にすることができる。【０００５】
しかしながら、ワイヤーハーネスを折曲げると、機能性外装部材上で電線の経路が乱れたり、剥がれたりする恐れがある。例えば、特許文献１に開示のワイヤーハーネスでは、電線の経路、コネクタへの接続先位置等に応じて、シート状の機能性外装部材上で、いずれかの電線が他の電線を跨ぐようにして交差して配設される場合があり得る。電線の交差部分では、他の電線を跨ぐ電線の保持力が弱くなる恐れがある。このため、電線の交差部分で、機能性外装部材が折曲げられると、機能性外装部材での電線の経路が乱れたり、剥がれたりする恐れがある。【０００６】
そこで、本発明は、シート状部材上で線状伝送部材の経路が乱れたり、シート状部材から線状伝送部材が分離したりすることを抑制することを目的とする。
【課題を解決するための手段】
【０００７】
上記課題を解決するため、第１の態様に係る配線部材は、シート状部材と、前記シート状部材上に固定された複数の線状伝送部材と、を備え、前記複数の線状伝送部材のうちの一部が他の前記線状伝送部材に対して交差するように、前記複数の線状伝送部材が前記シート状部材上に固定され、前記複数の線状伝送部材の交差箇所が、折曲げ跡を避けて位置しているものである。【０００８】
第２の態様は、第１の態様に係る配線部材であって、前記シート状部材に取付けられた車両固定部をさらに備え、前記複数の線状伝送部材の交差箇所が、前記シート状部材のうち前記車両固定部に対応する領域に位置するものを含む。【０００９】
第３の態様は、第１又は第２の態様に係る配線部材であって、前記複数の線状伝送部材の交差箇所が、前記シート状部材の延在方向中央部と端部との間で端部寄りに位置するものを含む。【００１０】
第４の態様は、第１から第３のいずれか１つの態様に係る配線部材であって、前記交差箇所に剛性を付与する剛性付与部材が設けられているものである。【００１１】
第５の態様に係る荷姿形態の配線部材は、シート状部材と、前記シート状部材上に固定された複数の線状伝送部材と、を備え、前記複数の線状伝送部材のうちの一部が他の前記線状伝送部材に対して交差するように、前記複数の線状伝送部材が前記シート状部材上に固定され、前記シート状部材及び前記複数の線状伝送部材が折曲げられて荷姿形態とされ、前記複数の線状伝送部材の交差箇所が、折曲げ箇所を避けて位置しているものである。
【発明の効果】
【００１２】
第１の態様によると、前記複数の線状伝送部材の交差箇所が、前記シート状部材の折曲げ跡を避けて位置しているため、梱包、搬送時等において、シート状部材は、複数の線状伝送部材の交差箇所を避けて折曲げられていたことになる。このため、シート状部材上で線状伝送部材の経路が乱れたり、シート状部材から線状伝送部材が分離したりすることが抑制される。【００１３】
通常、シート状部材は、車両固定部を避けた位置で折曲げられる。このため、第２の態様によると、交差箇所において配線部材が折曲げられず、シート状部材上で線状伝送部材の経路が乱れたり、シート状部材から線状伝送部材が分離したりすることが抑制される。【００１４】
梱包、搬送時等において配線部材を折曲げる理由は、コンパクト化を図るためであるため、配線部材を、シート状部材の端部寄りの位置で折曲げる可能性は少ない。そこで、第３の態様のように、前記複数の線状伝送部材の交差箇所が、前記シート状部材の延在方向中央部と端部との間で端部寄りに位置していることで、前記複数の線状伝送部材の交差箇所が折曲げられる可能性は少なくなり、シート状部材上で線状伝送部材の経路が乱れたり、シート状部材から線状伝送部材が分離したりすることが抑制される。【００１５】
第４の態様によると、前記交差箇所に剛性を付与する剛性付与部材が設けられているため、交差箇所で折曲げられ難くなる。このため、シート状部材上で線状伝送部材の経路が乱れたり、シート状部材から線状伝送部材が分離したりすることが抑制される。【００１６】
第５の態様によると、前記複数の線状伝送部材の交差箇所が、前記シート状部材の折曲げ箇所を避けて位置しているため、シート状部材上で線状伝送部材の経路が乱れたり、シート状部材から線状伝送部材が分離したりすることが抑制される。
【図面の簡単な説明】
【００１７】
【図１】実施形態に係る配線部材を示す概略平面図である。
【図２】荷姿形態の配線部材を示す概略平面図である。
【図３】第１変形例に係る配線部材を示す概略平面図である。
【図４】第２変形例に係る配線部材を示す概略平面図である。
【図５】第３変形例に係る配線部材を示す概略平面図である。
【発明を実施するための形態】
【００１８】
以下、実施形態に係る配線部材について説明する。図１は配線部材１０を示す概略平面図であり、図２は同配線部材１０を折畳んだ状態、即ち、荷姿形態の配線部材１０Ｂを示す概略平面図である。
【００１９】
配線部材１０は、シート状部材２０と、複数の線状伝送部材３０とを備える。本例では、配線部材１０は、コネクタ４０Ａ、４０Ｂ、４０Ｃ、４０Ｄをも備える。
【００２０】
線状伝送部材３０は、電気又は光を伝送する線状部材である。シート状部材２０は、シート状の部材である。このシート状部材２０上に、複数の線状伝送部材３０が固定される。複数の線状伝送部材３０のうちの一部が他の線状伝送部材３０に対して交差するようにシート状部材２０上に固定されている。配線部材１０には、折曲げ跡１２、１３が形成されている。すなわち、配線部材１０を梱包、搬送時等する際に、配線部材１０は、折曲げてコンパクトな荷姿形態とされる。折曲げ跡１２、１３は、かかる荷姿形態に形成された際に、折曲げられた跡である。配線部材１０の折曲げは、配線部材１０の一部を他の部分に重ねることができる程度に折曲げられればよい。折曲げ跡１２、１３は、シート状部材２０に折り癖として残っている場合、線状伝送部材３０に折り癖として残っている場合等が想定される。複数の線状伝送部材３０は、シート状部材２０上で交差しており、この交差箇所３８ａ、３８ｂ、３８ｃ、３８ｄ、３９が、折曲げ跡１２、１３を避けて位置している。
【００２１】
コネクタ４０Ａ、４０Ｂ、４０Ｃ、４０Ｄは、車両に搭載された部品に接続される部品である。複数の線状伝送部材３０の端部がいずれかのコネクタ４０Ａ、４０Ｂ、４０Ｃ、４０Ｄに接続されている。コネクタ４０Ａ、４０Ｂ、４０Ｃ、４０Ｄが車両に搭載された相手側のコネクタに接続されることで、線状伝送部材３０と当該部品とが電気的に接続され、或は、光信号を送受可能に接続される。
【００２２】
本配線部材１０が車両に搭載された状態で、複数のコネクタ４０Ａ、４０Ｂ、４０Ｃ、４０Ｄが車両に搭載された各部品に接続される。これにより、車両に搭載された部品の間で、電気信号の送受信、電力の送受、光信号の送受信がなされる。つまり、配線部材１０は、車両に搭載された部品同士を接続する配線部品である。特に、配線部材１０において、複数の線状伝送部材３０が分岐していることから、複数の部品を分岐した経路を介して接続することが可能となる。
【００２３】
各部についてより具体的に説明する。
【００２４】
線状伝送部材３０は、電気又は光等を伝送する線状の部材であればよい。例えば、線状伝送部材は、芯線と芯線の周囲の被覆とを有する一般電線であってもよいし、裸導線、シールド線、エナメル線、ニクロム線、光ファイバ等であってもよい。
【００２５】
電気を伝送する線状伝送部材としては、各種信号線、各種電力線であってもよい。電気を伝送する線状伝送部材は、信号又は電力を空間に対して送る又は空間から受けるアンテナ、コイル等として用いられてもよい。
【００２６】
ここでは線状伝送部材３０が一般電線３０（以下、単に電線３０という）であるものとして説明する。電線３０は、伝送線本体としての芯線と、芯線を覆う被覆としての絶縁被覆とを有する。電線に関する各説明は、適用不可能な構成を除き、線状伝送部材の各例示物に適用可能である。
【００２７】
芯線は、１本又は複数本の素線で構成される。素線は、銅、銅合金、アルミニウム、アルミニウム合金等の導体で形成される。芯線が複数本の素線で構成される場合、複数本の素線は撚られていてもよい。絶縁被覆は、ＰＶＣ（ポリ塩化ビニル）、ＰＥ（ポリエチレン）などの樹脂材料が芯線の周囲に押出成形されるなどして形成される。ここでは電線３０は、横断面が円形のいわゆる丸電線である。
【００２８】
シート状部材２０は、電線３０を２次元的に位置決めした状態で保持でき、かつ、折曲げ可能な柔軟なシート状部材である。
【００２９】
シート状部材２０を構成する材料は特に限定されるものではないが、シート状部材２０は、好ましくはＰＶＣ（ポリ塩化ビニル）、ＰＥＴ（ポリエチレンテレフタレート）、ＰＰ（ポリプロピレン）などの樹脂を含む材料によって形成される。シート状部材２０は、内部が一様に埋ったシート部材であってもよいし、不織シート等であってもよい。シート状部材２０は、金属などの材料を含むこともあり得る。シート状部材２０は、単層であってもよいし、複数層積層されていてもよい。複数層積層されている場合、例えば、樹脂層と樹脂層とが積層されていることが考えられる。また例えば、樹脂層と金属層とが積層されていることが考えられる。
【００３０】
シート状部材２０の一主面上に、電線３０が固定されている。シート状部材２０の一主面上において、電線３０は一定の経路に沿って固定されている。
【００３１】
シート状部材２０の一主面上には、複数の電線３０が固定される。シート状部材２０上における電線３０の経路は、直線であってもよいし、途中で曲る経路であってもよい。シート状部材２０の一主面上において、複数の電線３０は途中で分岐している。
【００３２】
より具体的には、シート状部材２０は、第１シート状部分２２と、第２シート状部分２４ａ、２４ｂとを含む。第２シート状部分２４ａ、２４ｂは、第１シート状部分２２の延在方向中間部で曲って第１シート状部分２２の側方に分岐している。ここでは、第１シート状部分２２は、細長く真っ直ぐ延びる帯状に形成されている。第１シート状部分は曲っていてもよい。第２シート状部分２４ａ、２４ｂは細長く真っ直ぐ延びる帯状に形成されている。第２シート状部分２４ａは、第１シート状部分２２の一側部の延在方向中間部から第１シート状部分２２の一側外方に向けて延在するように分岐している。第２シート状部分２４ｂは、第１シート状部分２２の他側部の延在方向中間部から第１シート状部分２２の他側外方に向けて延在するように分岐している。ここでは、第２シート状部分２４ａ、２４ｂは、第１シート状部分２２の延在方向において異なる箇所に設けられている。ここでは、第２シート状部分２４ａは、第１シート状部分２２の一端寄りに、第２シート状部分２４ｂは、第１シート状部分２２の他端寄りに設けられている。第２シート状部分が複数設けられる場合、そのうちの２つの第２シート状部分が第１シート状部分の延在方向において同じ位置に設けられていてもよい。また、第２シート状部分２４ａ、２４ｂは、第１シート状部分２２の延在方向に対して直交する姿勢で延出している。第２シート状部分は、第１シート状部分の延在方向に対して斜め方向に延出していてもよい。第２シート状部分は、１つであってもよく、３つ以上であってもよい。
【００３３】
便宜上、複数の電線３０を、電線３０ａ、３０ｂ、３０ｃ、３０ｄ、３０ｅ、３０ｆと区別する。以下、電線３０を区別する必要がある場合には、同様の符号で区別する。複数の電線３０ａ、３０ｂ、３０ｃ、３０ｄ、３０ｅ、３０ｆは、第１シート状部分２２の一端側では、並列状態で第１シート状部分２２に固定されている。複数の電線３０ａ、３０ｂ、３０ｃ、３０ｄ、３０ｅ、３０ｆは、第１シート状部分２２の一端部でコネクタ４０Ａに接続されている。コネクタ４０Ａは、端子が所定の並び順で、ハウジングに収容された構成とされている。複数の電線３０ａ、３０ｂ、３０ｃ、３０ｄ、３０ｅ、３０ｆの並びは、複数の電線３０ａ、３０ｂ、３０ｃ、３０ｄ、３０ｅ、３０ｆに接続される端子がハウジングに収容される並びに応じて決定されている。コネクタ４０Ａは、シート状部材２０に固定されていてもよい。電線３０ａ、３０ｂ、３０ｃ、３０ｄ、３０ｅ、３０ｆの端部がシート状部材２０から延出してコネクタ４０Ａに接続されていてもよい。これは、他のコネクタ４０Ｂ、４０Ｃ、４０Ｄについても同様である。
【００３４】
第１シート状部分２２の延在方向において当該第１シート状部分２２の一端部と第２シート状部分２４ａとの中間部で、一部の電線３０ｆが途中で曲り、他の電線３０ａ、３０ｂ、３０ｃ、３０ｄ、３０ｅに対して斜め姿勢で交差する。電線３０ｆが電線３０ａ、３０ｂ、３０ｃ、３０ｄ、３０ｅに対して交差する箇所が交差箇所３８ａの一例である。電線３０ｆが電線３０ａ、３０ｂ、３０ｃ、３０ｄ、３０ｅに対して斜め姿勢で交差していることから、電線３０ｆを緩やかな角度で曲げることができる。電線３０ｆは、交差箇所３８ａから第１シート状部分２２の他端部に向けて他の電線３０ａ、３０ｂ、３０ｃ、３０ｄ、３０ｅと並列状態で第１シート状部分２２の延在方向中間部に固定される。電線３０ｆは、第２シート状部分２４ａが設けられた箇所で、第１シート状部分２２の一側部に向けて曲って他の電線３０ａ、３０ｂ、３０ｃ、３０ｅに対して分岐し、第２シート状部分２４ａに向けて延在する。他の一部の電線３０ｄは、第２シート状部分２４ａが設けられた箇所で、途中で元の部分から曲って他の電線３０ａ、３０ｂ、３０ｃ、３０ｅに対して分岐し、第２シート状部分２４ａに向けて延在する。第２シート状部分２４ａ上で、一部の電線３０ｄ、３０ｆは、他の電線３０ａ、３０ｂ、３０ｃ、３０ｅに対して分岐してそれらに直交する姿勢で延在し、第２シート状部分２４ａ上に並列状態で固定される。電線３０ｄが他の電線３０ａ、３０ｂ、３０ｃに対して交差する箇所が、交差箇所３８ｂの一例である。交差箇所３８ａ、３８ｂは、複数の線状伝送部材のうちの一部が他の線状伝送部材に対して分岐するように交差している箇所の一例である。
【００３５】
電線３０ｄ、３０ｆは、第２シート状部分２４ａの端部で、コネクタ４０Ｂに接続される。電線３０ｄ、３０ｆの並び順も、電線３０ｄ、３０ｆの端部に接続される端子がコネクタ４０Ｂ内に収容される配置に応じて決定される。
【００３６】
第１シート状部分２２の延在方向中間部であって、上記電線３０ｄ、３０ｆよりも第１シート状部分２２の他端側にずれた位置で、一部の電線３０ａ、３０ｂが途中で元の部分から曲って、他の電線３０ｃ、３０ｅに対して分岐している。一部の電線３０ａ、３０ｂは、他の電線３０ｃ、３０ｅに対して分岐して直交する姿勢で延在している。電線３０ａ、３０ｂの曲げ半径は、電線３０ａ、３０ｂ、３０ｃ、３０ｄ、３０ｅ、３０ｆの間隔と同程度であってもよいし、当該間隔よりも小さくてもよいし、当該間隔より大きくてもよい。ここでは、電線３０ａが、他の電線３０ｃ、３０ｅに対して交差する箇所が交差箇所３８ｃである。また、電線３０ｂが他の電線３０ｃ、３０ｅに対して交差する箇所が交差箇所３８ｄである。交差箇所３８ｃ、３８ｄは、複数の線状伝送部材のうちの一部が他の線状伝送部材に対して分岐するように交差している箇所の一例である。
【００３７】
電線３０ａ、３０ｃは、第１シート状部分２２上で他の電線３０ｃ、３０ｅに対して分岐し、第２シート状部分２４ｂに向けて延出して当該第２シート状部分２４ｂ上で並列状態で固定される。電線３０ａ、３０ｂは、第２シート状部分２４ｂの端部で、コネクタ４０Ｃに接続される。電線３０ａ、３０ｂの並び順も、電線３０ａ、３０ｂの端部に接続される端子がコネクタ４０Ｃ内に収容される配置に応じて決定される。
【００３８】
残りの電線３０ｃ、３０ｅは、第１シート状部分２２の他端部に向けて延在する。第１シート状部分２２の他端部における電線３０ｃ、３０ｅの並び順は、電線３０ａ、３０ｂの端部に接続される端子がコネクタ４０Ｄ内に収容される配置に応じて決定される。ここでは、コネクタ４０Ａ、４０Ｄにおける端子の収容位置に応じて、第１シート状部分２２の他端部における電線３０ｃ、３０ｅの並び順と第１シート状部分２２の一端部における電線３０ｃ、３０ｅの並び順とが変っている。そこで、複数の電線３０ｃ、３０ｅの並び順を変更するように、電線３０ｅが途中で曲って電線３０ｃに対して交差している。ここでは、交差箇所３８ｃ、３８ｄと第１シート状部分２２の他端部との中間部で、電線３０ｅが電線３０ｃに対して交差するように曲げられ、第１シート状部分２２の他端部寄りの位置で、電線３０ｃに対して平行に延在している。ここでは、電線３０ｅは、電線３０ｃに対して斜め姿勢で交差しており、電線３０ｅのうち電線３０ｃと交差する両側の部分は、電線３０ｃに対して平行姿勢で延在している。電線３０ｅが、電線３０ｃに対して斜め姿勢で交差していることから、電線３０ｅの曲げを緩やかにすることができる。電線３０ｅのうち電線３０ｃと交差する部分と、電線３０ｃに対して平行に延在する部分との間は、曲線的に曲げられている。この曲げ半径は、上記と同様に、電線３０ａ、３０ｂ、３０ｃ、３０ｄ、３０ｅ、３０ｆの間隔と同程度であってもよいし、当該間隔よりも小さくてもよいし、当該間隔より大きくてもよい。電線３０ｃと電線３０ｅとの交差箇所３９が、電線３０ｃ、３０ｅの並び順を変更するように、電線３０ｃと電線３０ｅとが交差する箇所の一例である。電線３０ｃ、３０ｅは、第１シート状部分２２の他端部上で並列状態で固定される。電線３０ｃ、３０ｅは、第１シート状部分２２の他端部で、コネクタ４０Ｄに接続される。
【００３９】
配線部材１０には、折曲げ跡１２、１３が形成されている。折曲げ跡１２、１３は、梱包、搬送等の目的で、コンパクトな荷姿形態とするため、配線部材１０を折曲げた跡である。ここでは、配線部材１０は、第１シート状部分２２の延在方向において２箇所で折曲げられる。各折曲げライン（折曲げた後、展開すると折曲げ跡１２、１３となるライン）は、第１シート状部分２２の延在方向に対して直交する。一方の折曲げライン（折曲げ跡１２に対応する）は、第１シート状部分２２の一端部と第２シート状部分２４ａとの間に位置する。他方の折曲げライン（折曲げ跡１３に対応する）は、第１シート状部分２２の他端部と第２シート状部分２４ｂとの間であって第２シート状部分２４ｂ寄りに位置する。配線部材１０の折曲げ方は上記例に限られない、配線部材１０は、１箇所で折り曲げられていてもよいし、３箇所以上で折り曲げられていてもよい。配線部材１０は、第１シート状部分２２の延在方向に対して斜めのラインで折り曲げられてもよい。
【００４０】
上記交差箇所３８ａ、３８ｂ、３８ｃ、３８ｄ、３９は、折曲げ跡１２、１３を避けて位置している。より具体的には、交差箇所３８ａは、第１シート状部分２２において、折曲げ跡１２よりも第１シート状部分２２の一端寄りに位置している。交差箇所３８ｂ、３８ｃ、３８ｄは、第１シート状部分２２において、折曲げ跡１２と折曲げ跡１３との間に位置している。交差箇所３９は、第１シート状部分２２において、折曲げ跡１３よりも第１シート状部分２２の他端寄りに位置している。
【００４１】
交差箇所３８ａ、３９は、シート状部材２０の延在方向中央部Ｍと端部との間で端部寄りに位置していてもよい。ここで、シート状部材２０のうち最も長い第１シート状部分２２を基準とし、その延在方向中央部をＭとする。交差箇所３９は、当該第１シート状部分２２の中央部Ｍと他端部Ｔとの間において、他端部Ｔ寄りの位置に存在している。シート状部材２０を折曲げる目的は、なるべくコンパクトにすることにあるから、シート状部材２０を端部で折曲げても、コンパクトに対する要請に対する効果は薄い。このため、シート状部材２０を端部で折曲げることはあまりないため、端部Ｔ寄りの位置に交差箇所３９を設けることで、当該交差箇所３９が折曲げられることが抑制される。
【００４２】
なお、電線３０とシート状部材２０との固定する態様は、接触部位固定であってもよいし、非接触部位固定であってもよいし、両者が併用されていてもよい。ここで接触部位固定とは、電線３０とシート状部材２０とが接触する部分がくっついて固定されているものである。また、非接触部位固定とは、接触部位固定でない固定態様である。例えば、縫糸、別のシート部材、粘着テープなどが、電線３０をシート状部材２０に向けて押え込んだり、縫糸、別のシート部材、粘着テープなどが、電線３０とシート状部材２０とを囲む状態等となって、電線３０とシート状部材２０とを挟み込んだりして、電線３０とシート状部材２０とが固定された状態に維持するものである。本例では、電線３０とシート状部材２０とが、接触部位固定の状態にあるものとして想定している。接触部位固定に関する各説明は、適用不可能な構成でない限り、非接触部位固定にも適用可能である。
【００４３】
係る接触部位固定の態様として、接触部位間接固定であってもよいし、接触部位直接固定であってもよいし、異なる領域で両者が併用されていてもよい。ここで接触部位間接固定とは、電線３０とシート状部材２０とが、その間に設けられた接着剤、粘着剤、両面粘着テープなどの介在部材を介して間接的にくっついて固定されているものである。また接触部位直接固定とは、電線３０とシート状部材２０とが別に設けられた接着剤等を介さずに直接くっついて固定されているものである。接触部位直接固定では、例えば電線３０とシート状部材２０とのうち少なくとも一方に含まれる樹脂が溶かされることによってくっついて固定されることが考えられる。以下では、電線３０とシート状部材２０とが、接触部位直接固定の状態にあるものとして説明する。接触部位直接固定に関する各説明は、適用不可能な構成でない限り、接触部位間接固定にも適用可能である。
【００４４】
係る接触部位直接固定の状態が形成されるに当たり、樹脂は、例えば、熱によって溶かされることも考えられるし、溶剤によって溶かされることも考えられる。つまり、接触部位直接固定の状態としては、熱による接触部位直接固定の状態であってもよいし、溶剤による接触部位直接固定の状態であってもよい。好ましくは、熱による接触部位直接固定の状態であるとよい。
【００４５】
このとき接触部位直接固定の状態を形成する構成は特に限定されるものではなく、溶着、融着、溶接等の公知の構成を含む各種構成を用いることができる。例えば、溶着によって熱による接触部位直接固定の状態を形成する場合、超音波溶着、加熱加圧溶着、熱風溶着、高周波溶着など種々の溶着構成を採用することができる。またこれらの構成によって接触部位直接固定の状態が形成されると、電線３０とシート状部材２０とは、その構成による接触部位直接固定の状態とされる。具体的には、例えば、超音波溶着によって接触部位直接固定の状態が形成されると、電線３０とシート状部材２０とは、超音波溶着による接触部位直接固定の状態とされる。溶着によって熱による接触部位直接固定の状態を形成した部分（電線３０とシート状部材２０との固定部分）を溶着部、このうち、超音波溶着による固定部分を超音波溶着部、加熱加圧溶着による固定部分を加熱加圧溶着部等と称してもよい。
【００４６】
接触部位直接固定の場合、電線３０の被覆に含まれる樹脂のみが溶けていてもよいし、シート状部材２０に含まれる樹脂のみが溶けていてもよい。これらの場合において、溶けた方の樹脂が他方の外面にくっついた状態となり、比較的はっきりした界面が形成されることがある。また、接触部位直接固定の場合、電線３０の被覆に含まれる樹脂とシート状部材２０に含まれる樹脂の両方が溶けていてもよい。この場合、両方の樹脂が混ざり合ってはっきりした界面が形成されないことがある。特に、電線３０の被覆とシート状部材２０とが、同じ樹脂材料など相溶しやすい樹脂を含む場合などに、両方の樹脂が混ざり合ってはっきりした界面が形成されないことがある。
【００４７】
上記配線部材１０が折曲げられた形態、即ち、荷姿形態の配線部材１０Ｂは、複数の電線３０の交差箇所３８ａ、３８ｂ、３８ｃ、３８ｄ、３９が、折曲げ箇所１２Ａ、１３Ａを避けて位置した状態となっている（図２参照）。この荷姿形態を展開すると、複数の電線３０の交差箇所３８ａ、３８ｂ、３８ｃ、３８ｄ、３９が、折曲げ箇所１２Ａ、１３Ａの跡である折曲げ跡１２、１３を避けて位置した状態となっている（図１参照）。折曲げ跡１２、１３は、シート状部材２０に折り癖として残った跡、或は、電線３０に折り癖として残った跡として観察される。
【００４８】
このように構成された梱包形態の配線部材１０Ｂによると、複数の電線３０の交差箇所３８ａ、３８ｂ、３８ｃ、３８ｄ、３９が、シート状部材２０の折曲げ箇所１２Ａ、１３Ａを避けて位置しているため、シート状部材２０上で電線３０の経路が乱れたり、シート状部材２０から電線３０が分離したりすることが抑制される。また、配線部材１０においても、記複数の電線３０の交差箇所３８ａ、３８ｂ、３８ｃ、３８ｄ、３９が、シート状部材２０の折曲げ跡１２，１３を避けて位置しているため、梱包、搬送時等において、シート状部材２０は、複数の電線３０の交差箇所３８ａ、３８ｂ、３８ｃ、３８ｄ、３９を避けて折曲げられていたことになる。このため、シート状部材２０上で電線３０の経路が乱れたり、シート状部材２０から電線３０が分離したりすることが抑制される。
【００４９】
また、梱包、搬送時等において配線部材１０を折曲げる理由は、コンパクト化を図るためであるため、配線部材１０を、シート状部材２０の端部寄りの位置で折曲げる可能性は少ない。そこで、電線３０の交差箇所３８ａ、３９が、シート状部材２０の延在方向中央部Ｍと端部Ｔとの間で端部Ｔ寄りに位置していることで、複数の電線３０の交差箇所３８ａ、３９が折曲げられる可能性は少なくなり、シート状部材２０上で電線３０の経路が乱れたり、シート状部材２０から電線３０が分離したりすることが抑制される。
【００５０】
｛変形例｝
上記実施形態を前提として、各種変形例について説明する。
【００５１】
図３は第１変形例に係る配線部材１１０を示す概略平面図である。この配線部材１１０は、シート状部材２０に取付けられた車両固定部１５０をさらに備える。
【００５２】
車両固定部１５０は、車両に固定可能な部品である。車両固定部１５０として、例えば、車両に形成された孔に嵌め込んで係止固定可能な部品、いわゆるクランプ又はクリップと呼ばれる部品を用いることができる。シート状部材２０に対する車両固定部１５０の固定構造としては、超音波溶着、熱溶着、接着剤又は粘着剤を用いた固定、挟込み固定等、各種固定構造を採用することができる。
【００５３】
車両固定部１５０は、シート状部材２０の第１シート状部分２２のうち延在方向の一部に固定されている。ここでは、第１シート状部分２２の一端部と折曲げ跡１２との間に設けられている。車両固定部１５０は、第１シート状部分２２の両側部に設けられている。車両固定部１５０は、第１シート状部分２２の一側のみに設けられていてもよいし、第１シート状部分２２の幅方向中間部に設けられていてもよい。
【００５４】
交差箇所３８ａは、シート状部材２０のうち車両固定部１５０に対応する領域に位置している。ここでは、第１シート状部分２２の延在方向における車両固定部１５０の両端を、第１シート状部分２２の延在方向に対して直交する方向に延長した一対の線１５８Ｌの内側に、交差箇所３８ａが位置している。
【００５５】
車両固定部１５０は、第１シート状部分２２の他端部と折曲げ跡１３との間にも設けられている。交差箇所３９は、シート状部材２０のうち当該車両固定部１５０に対応する領域に位置している。
【００５６】
車両固定部１５０は、樹脂又は金属等で形成された部品であり、第１シート状部分２２を、当該車両固定部１５０が設けられた領域では曲げ難い。このため、シート状部材２０は、車両固定部１５０を避けた位置で折曲げられることになる。このため、交差箇所３８ａ、３９において、配線部材１１０が折曲げられず、シート状部材２０上で電線３０の経路が乱れたり、シート状部材２０から電線３０が分離したりすることが抑制される。
【００５７】
図４は第２変形例に係る配線部材２１０を示す概略平面図である。この配線部材２１０は、交差箇所３８ａ、３８ｂ、３８ｃ、３８ｄ、３９に剛性を付与する剛性付与部材２５０Ａ、２５０Ｂ、２５０Ｃ、２５０Ｄが設けられている。
【００５８】
剛性付与部材２５０Ａ、２５０Ｂ、２５０Ｃ、２５０Ｄは、シート状に形成されており、シート状部材２０に対して電線３０が固定された側から当該電線３０を覆うようにシート状部材２０に固定されている。剛性付与部材２５０Ａは、交差箇所３８ａに剛性を付与するように、当該交差箇所３８ａを含む、第１シート状部分２２の幅方向全体領域を覆っている。剛性付与部材２５０Ｂは、交差箇所３８ｂに剛性を付与するように、当該交差箇所３８ｂを含む、第１シート状部分２２の幅方向全体領域を覆っている。剛性付与部材２５０Ｃは、交差箇所３８ｃ、３８ｄに剛性を付与するように、当該交差箇所３８ｃ、３８ｄを含む、第１シート状部分２２の幅方向全体領域を覆っている。剛性付与部材２５０Ｄは、交差箇所３９に剛性を付与するように、当該交差箇所３９を含む、第１シート状部分２２の幅方向全体領域を覆っている。剛性付与部材２５０Ａ、２５０Ｂ、２５０Ｃ、２５０Ｄが、第１シート状部分２２の幅方向全体を覆っている必要は無く、少なくとも、交差箇所３８ａ、３８ｂ、３８ｃ、３８ｄ、３９を覆っていればよい。また、全ての交差箇所３８ａ、３８ｂ、３８ｃ、３８ｄ、３９に対して剛性付与部材２５０Ａ、２５０Ｂ、２５０Ｃ、２５０Ｄが設けられる必要は無い。交差箇所３８ａ、３８ｂ、３８ｃ、３８ｄ、３９の一部に剛性付与部材が設けられていてもよい。
【００５９】
剛性付与部材２５０Ａ、２５０Ｂ、２５０Ｃ、２５０Ｄは、シート状部材２０に対してより広い領域に設けられていてもよい。例えば、剛性付与部材は、第１シート状部分２２のうち折曲げ跡１２、１３となる線状領域を避けた全体領域に設けられていてもよい。
【００６０】
剛性付与部材２５０Ａ、２５０Ａ、２５０Ｂ、２５０Ｃ、２５０Ｄとしては、例えば、ＰＶＣ、ＰＥ、ＰＥＴ、ＰＰ、ＰＡ等の樹脂シートであってもよいし、アルミニウム又は銅などの金属シートであってもよい。また、剛性付与部材２５０Ａ、２５０Ａ、２５０Ｂ、２５０Ｃ、２５０Ｄは、織物、編物、不織布等の繊維材であってもよいし、押出成形又は射出成形等による部材等の成型材であってもよい。また、剛性付与部材２５０Ａ、２５０Ａ、２５０Ｂ、２５０Ｃ、２５０Ｄは、発泡成形された発泡材であってもよいし、発泡成形されずに一様に充実な充実材であってもよい。また、剛性付与部材２５０Ａ、２５０Ａ、２５０Ｂ、２５０Ｃ、２５０Ｄは、１層のみを有するものであってもよいし、複数層を有するものであってもよい。
【００６１】
シート状部材２０に対する剛性付与部材２５０Ａ、２５０Ａ、２５０Ｂ、２５０Ｃ、２５０Ｄの固定は、いかなる構成によってなされてもよい。例えば、シート状部材２０の主面のうち電線３０の経路を避けた側方領域で、剛性付与部材２５０Ａ、２５０Ａ、２５０Ｂ、２５０Ｃ、２５０Ｄがシート状部材２０に固定されてもよい。また、シート状部材２０の幅方向全体領域で、剛性付与部材２５０Ａ、２５０Ａ、２５０Ｂ、２５０Ｃ、２５０Ｄがシート状部材２０に固定されていてもよい。
【００６２】
両者の固定態様としては、電線３０をシート状部材２０に固定したのと同様の構成を採用することができる。すなわち、両者の固定態様は、接触部位固定であってもよいし、非接触部位固定であってもよいし、両者が併用されていてもよい。また、接触部位固定の態様として、接触部位間接固定であってもよいし、接触部位直接固定であってもよいし、異なる領域で両者が併用されていてもよい。例えば、剛性付与部材２５０Ａ、２５０Ａ、２５０Ｂ、２５０Ｃ、２５０Ｄをシート状部材２０に対して、超音波溶着、加熱加圧溶着、熱風溶着、高周波溶着等によって固定することができる。
【００６３】
この変形例によると、交差箇所３８ａ、３８ｂ、３８ｃ、３８ｄ、３９に剛性を付与する剛性付与部材２５０Ａ、２５０Ｂ、２５０Ｃ、２５０Ｄが設けられているため、交差箇所３８ａ、３８ｂ、３８ｃ、３８ｄ、３９で曲げられ難くなる。このため、シート状部材２０上で電線３０の経路が乱れたり、シート状部材２０から電線３０が分離したりすることが抑制される。また、剛性付与部材２５０Ａ、２５０Ｂ、２５０Ｃ、２５０Ｄが、交差箇所３８ａ、３８ｂ、３８ｃ、３８ｄ、３９を覆っているため、この点からも、シート状部材２０上で電線３０の経路が乱れたり、シート状部材２０から電線３０が分離したりすることが抑制される。
【００６４】
剛性付与部材２５０Ａ、２５０Ａ、２５０Ｂ、２５０Ｃ、２５０Ｄが交差箇所３８ａ、３８ｂ、３８ｃ、３８ｄ、３９を覆っていることは必須ではない。例えば、図５に示す第３変形例に係る配線部材３１０のように、剛性付与部材２５０Ａ、２５０Ａ、２５０Ｂ、２５０Ｃ、２５０Ｄが、シート状部材２０に対して電線３０が固定された側とは反対側から当該シート状部材２０に固定されていてもよい。
【００６５】
なお、上記実施形態及び各変形例で説明した各構成は、相互に矛盾しない限り適宜組合わせることができる。例えば、図３に示す第１変形例に係る配線部材１１０に対して、第２変形例に係る剛性付与部材２５０Ａ、２５０Ｂ、２５０Ｃ、２５０Ｄが設けられていてもよい。
【００６６】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６７】
１０；１１０ｌ；２１０；３１０    配線部材
１０Ｂ    梱包形態の配線部材
１２、１３    折曲げ跡
２０    シート状部材
３０、３０ａ、３０ｂ、３０ｃ、３０ｄ、３０ｅ、３０ｆ    電線
３８ａ、３８ｂ、３８ｃ、３８ｄ、３９    交差箇所
１５０    車両固定部
２５０Ａ、２５０Ｂ、２５０Ｃ、２５０Ｄ    剛性付与部材
【図１】
2020121434.tif 000003
【図２】
2020121434.tif 000004
【図３】
2020121434.tif 000005
【図４】
2020121434.tif 000006
【図５】
2020121434.tif 000007
【国際調査報告】
2020121434.tif 000008
2020121434.tif 000009